(57)【要約】      （修正有）【課題】石材の切断時等に生じる粉塵を、その軽いものも重いものも効率よく集塵することのできる石材加工台の提供。【解決手段】集塵ガイド２と台部６とを一体化して石材加工台１とする。集塵ガイド２は、開口部３から集塵機の吸引口への接続口４にかけて窄まる形状とする。台部６は、薄い箱形とし、長さ方向の一端側の側部を開放すると共に、頂部を開放して該開放部にすのこ状の石材載受板７を取り付ける。そして集塵ガイド２の開口部３が、台部６の開放側の端部及びその上面を覆うようにしてこれら集塵ガイド２と台部６とを一体化する。【選択図】図１
0003113029.tif 000002
【実用新案登録請求の範囲】
【請求項１】
適宜の形状及び大きさとなした開口部から集塵機の吸引口への接続口にかけて窄まる形状となした集塵ガイドと、長さ方向の一端側の側部を開放すると共に、頂部を開放して該開放部にすのこ状の石材載受板を取り付けた薄い箱形の台部とからなり、前記集塵ガイドの開口部が、前記台部の開放側の端部及びその上面を覆うようにしてこれら集塵ガイドと台部とを一体化せしめたことを特徴とする石材加工台。
【請求項２】
集塵ガイドの開口部と台部の側部との間に僅かな隙間を設けてなる請求項１記載の石材加工台。
【請求項３】
集塵ガイドの頂部に道具類の載受部を設けてなる請求項１又は２記載の石材加工台。
【考案の詳細な説明】
【技術分野】
【０００１】  本考案は石板やタイル等の石材を切断するため等に用いる石材加工台に関し、更に詳細には、集塵機に接続し、石材の切断時等に生じる粉塵を効率よく集塵する機能を有する石材加工台に係わる。
【背景技術】
【０００２】  ビルディング等の建築工事現場においては、壁面や床面に使用する石板やタイル等を適宜の寸法に切断する作業が行われる。この切断作業はディスクサンダーを用いて行われ、そして従来は木材や石、或いはブロック等を台として用い、これに切断すべき石板やタイル等を載せて切断していた。【０００３】  然るに、この石材の切断作業の際には大量の粉塵が発生し、周囲に飛散して汚したり、作業員に塵肺等の健康被害を与える。【０００４】  これらの事情から、最近にあっては市販の集塵機を使用して、発生する粉塵を少しでも減少させるための工夫もなされている。しかし、該市販の集塵機は、その吸引口にホースが接続されているのみであるから吸塵効率が悪く、発生する粉塵のほんの僅か一部だけを吸塵するだけにすぎない。【０００５】  このことから、現場において作業員が手作りで段ボール箱の底部に穴をあけた集塵ガイドを作り、これの底部の穴を集塵機の吸引口に接続して集塵効率を高めていた。【０００６】  ところで、石材の切断時に生じる粉塵には、軽くてディスクサンダーの回転による風や集塵機の吸引に伴う風によって舞い上がるものもあれば、重くて落下するものもある。そして軽くて舞い上がったものは集塵ガイドをもって集塵されるものの、重くて落下するものはそのまま床面上に散らかることになる。そしてまた、この床面に散らかった重い粉塵は、湿ってくっつくような状態となり、清掃作業が極めて大変である。箒で掃くよりも水で流したほうが早く且つきれいになるが、現場によっては水を使うことができない。
【考案の開示】
【考案が解決しようとする課題】
【０００７】  本考案は上記の点に鑑みなされたものであって、石材の切断時に生じる粉塵を、その軽くて舞い上がるもののみならず、重くて落下するものも効率よく集塵することができるようになした石材加工台を提供せんとするものである。
【課題を解決するための手段】
【０００８】  而して、本考案はとするところは、適宜の形状及び大きさとなした開口部から集塵機の吸引口への接続口にかけて窄まる形状となした集塵ガイドと、長さ方向の一端側の側部を開放すると共に、頂部を開放して該開放部にすのこ状の石材載受板を取り付けた薄い箱形の台部とからなり、前記集塵ガイドの開口部が、前記台部の開放側の端部及びその上面を覆うようにしてこれら集塵ガイドと台部とを一体化せしめたことを特徴とする石材加工台にある。【０００９】また、上記構成において、集塵ガイドの開口部と台部の側部との間に僅かな隙間を設けるようにしてもよい。これにより集塵ガイドと台部の底部に溜まった重い粉塵の排出が容易となる。【００１０】  また、上記構成において、集塵ガイドの頂部に道具類の載受部を設けるようにしてもよい。これにより現場において用いる筆記具類、定規等の小さい道具類を一箇所にまとめておくことができ、能率よく作業を行うことができる。
【考案の効果】
【００１１】  本考案は上記の如き構成であるから、石材の切断時に生じる粉塵を、その軽くて舞い上がるもののみならず、重くて落下するものも効率よく集塵することができるものである。したがって、粉塵の周囲への飛散量を大幅に減少させることができる。また、清掃作業に要する手間と時間を大幅に軽減させることができると共に、作業員の塵肺による健康被害を防止することもできるものである。【００１２】  また、集塵ガイドの開口部と台部の側部との間に僅かな隙間を設けるようにした場合には、集塵ガイドと台部の底部に溜まった重い粉塵の排出が容易となるものである。【００１３】  また、集塵ガイドの頂部に道具類の載受部を設けるようにした場合には、現場において用いる筆記具類、定規等の小さい道具類を一箇所にまとめておくことができ、能率よく作業を行うことができるものである。
【考案を実施するための最良の形態】
【００１４】  本考案を実施するための最良の形態は、適宜の形状及び大きさとなした開口部から集塵機の吸引口への接続口にかけて窄まる形状となした集塵ガイドと、長さ方向の一端側の側部を開放すると共に、頂部を開放して該開放部にすのこ状の石材載受板を取り付けた薄い箱形の台部とをもって構成し、前記集塵ガイドの開口部が、前記台部の開放側の端部及びその上面を覆うようにしてこれら集塵ガイドと台部とを一体化せしめることにある。
【実施例】
【００１５】  以下、本考案の実施例について説明する。
図１は実施例に係る石材加工台の集塵機に接続した状態の斜視図、図２は背面図、図３は平面図、図４は図３中Ａ−Ａ線断面図、図５は図３中Ｂ−Ｂ線断面図、図６は図３中Ｃ−Ｃ線断面図、図７は作用説明図である。【００１６】  図中、１は石材加工台である。２は前記石材加工台１を構成する集塵ガイドである。また、該集塵ガイド２は、適宜の形状及び大きさとなした開口部３から後記集塵機の吸引口への接続口４にかけて窄まる形状となしている。尚、該集塵ガイド２の形状については、外部から粉塵を集めやすくするために開口部３は出来るだけ大きく、そして入り込んだ粉塵を、奥中央にある集塵機の吸引口への接続口４に集中して入るようにガイドするため、半球状、皿状、ラッパ状等の適宜の形状とする。また、材料としては、プラスチック、木材、その他適宜のものを用いる。【００１７】  また、集塵ガイド２の頂部には、本実施例においては枠形をした道具類の載受部５を設けている。該道具類の載受部５は、現場において用いる筆記具類、定規等の小さい道具類を一箇所にまとめておくためのものである。【００１８】６は前記集塵ガイド２と一体化して石材加工台１を構成する台部である。また、該台部６は、薄い箱形をなし、長さ方向の一端側の側部を開放６ａすると共に、頂部を開放６ｂして該開放部６ｂにすのこ状の石材載受板７を取り付けてなるものである。また、該すのこ状の石材載受板７は、その隙間７ａ、７ａ、７ａ…が台部６の長さ方向に沿うようになすと共に、中央部の隙間を最も広くなしている。そして、該台部６と前記集塵ガイド２とは、集塵ガイド２の開口部３が該台部６の開放側の端部及びその上面を覆うようにして一体化させている。また、本実施例においては、集塵ガイド２と台部６の左右側部との間に僅かな隙間Ｓをもうけている。該隙間Ｓから集塵ガイド２と台部６の底部に溜まった重い粉塵を排出するものである。また、該台部６の材料としては、前記集塵ガイド２と同様のものを用いればよい。また、その他、図中８は集塵機、８ａは集塵機の吸引口、９は集塵機８に接続した集塵袋、１０は切断具であるディスクサンダー、１１は大理石、御影石等からなる石板を示す。【００１９】  次に、本実施例の作用について説明する。
先ず、石材加工台１を集塵機８に接続する。それは、集塵ガイド２の集塵機の吸引口への接続口４を、集塵機８の吸引口８ａに直接結合して行う。このようにホースを使わず、直接結合することにより、集塵装置全体をコンパクトにすることができる。そしてその後集塵機８を作動させて吸塵を開始する。この状態にあっては、図７において鎖線で示す如き風流が生じる。そして、この状態において石材１１を台部６の石材載受板７上に載せてディスクサンダー１０で切断すると、発生した粉塵は、軽いものは、実線で示す如く集塵ガイド２の開口部３から集塵ガイド２の奥の集塵機の吸引口への接続口４に吸引され、また一方、重いものは、実線で示す如く台部６内を経て集塵ガイド２内に導かれる。よって、石材の切断時に生じる粉塵は、その軽くて舞い上がるものも、また重くて落下するものも、いずれのものも効率よく集塵することができるものである。そしてまた、使用しているうちに集塵ガイド２と台部６の底部には重い粉塵１２が溜まるが、これは集塵ガイド２が下になるようにして立てて揺すり、集塵機の吸引口への接続口４から集塵機８へ吸い込ませるか、或いは集塵機８の作動を停止させ、一旦集塵ガイド２が下になるようにして立てて台部６内の粉塵を集塵ガイド２側に寄せた後、今度は台部６が下になるようにして立て、集塵ガイド２と台部６との隙間Ｓから排出するものである。
【図面の簡単な説明】
【００２０】
【図１】本考案の実施例に係る石材加工台の集塵機に接続した状態の斜視図である。
【図２】本考案の実施例に係る石材加工台の背面図である。
【図３】本考案の実施例に係る石材加工台の平面図である。
【図４】図３中Ａ−Ａ線断面図である。
【図５】図３中Ｂ−Ｂ線断面図である。
【図６】図３中Ｃ−Ｃ線断面図である。
【図７】本考案の実施例に係る石材加工台の作用説明図である。
【符号の説明】
【００２１】  １  石材加工台
２  集塵ガイド
３  集塵ガイドの開口部
４  集塵ガイドの集塵機の吸引口への接続口
５  道具類の載受部
６  台部
７  すのこ状の石材載受部
【図１】
0003113029.tif 000003
【図２】
0003113029.tif 000004
【図３】
0003113029.tif 000005
【図４】
0003113029.tif 000006
【図５】
0003113029.tif 000007
【図６】
0003113029.tif 000008
【図７】
0003113029.tif 000009